(57)【特許請求の範囲】
【請求項１】
電源のオンとオフとを切り替える電源切替部と、
前記電源がオフの状態において所定時間または所定時刻が経過すると、前記電源切替部により前記電源をオンに切り替える機能を実行する機能実行部と、
他の携帯通信機器との距離情報を取得する情報取得部と、
前記情報取得部により取得された前記距離情報に応じて、前記機能実行部による前記機能の実行を抑制する制御部と、
他の携帯通信機器との通信を行う通信部と、
を有し、
前記情報取得部は、
前記位置情報として自機器の現在位置情報を取得する位置情報取得部と、
前記通信部が前記他の携帯通信機器との通信により取得した当該他の携帯通信機器の現在位置情報と、前記位置情報取得部が取得した自機器の現在位置情報とに基づいて、自機器と前記他の携帯通信機器との距離を算出することにより前記距離情報を取得する距離情報取得部と、
をさらに有する
携帯通信機器。
【請求項２】
前記電源切替部による前記電源のオンからオフへの切り替えを指示する指示情報を受け付ける指示情報受付部
を有し、
前記制御部は、前記指示情報受付部により前記指示情報が受け付けられると前記情報取得部により前記情報を取得し、その取得された情報に応じて前記機能実行部による前記機能の実行を抑制する
ことを特徴とする請求項１に記載の携帯通信機器。
【請求項３】
前記制御部は、前記情報取得部により取得された情報に応じて、前記電源がオフのときに前記所定時間または前記所定時刻が経過しても前記電源切替部により前記電源をオンに切り替える機能を実行しないことにより前記機能実行部による前記機能の実行を抑制する
ことを特徴とする請求項１または２に記載の携帯通信機器。
【請求項４】
前記制御部は、前記情報取得部により取得された情報に応じて前記所定時間を延長、或いは前記所定時刻を延期し、前記電源がオフの時に前記延長された所定時間或いは前記延期された所定時刻が経過すると、前記電源切替部により前記電源をオンに切り替える機能を実行することにより前記機能実行部による前記機能の実行を抑制する
ことを特徴とする請求項１または２に記載の携帯通信機器。
【請求項５】
前記情報取得部は、前記時間情報としての現在時刻を取得する時間情報取得部をさらに有する
ことを特徴とする請求項１に記載の携帯通信機器。
【請求項６】
電源がオフの状態において所定時間または所定時刻が経過すると、前記電源をオンに切り替える機能を実行可能な携帯通信機器の制御方法であって、
他の携帯通信機器との距離情報を取得する第１のステップと、
前記第１のステップにおいて取得された前記距離情報に応じて、前記機能の実行を抑制する第２のステップと、
を有し、
前記第１のステップは、
前記位置情報として自機器の現在位置情報を取得する第３のステップと、
前記他の携帯通信機器との通信により取得した当該他の携帯通信機器の現在位置情報と、前記第３のステップにおいて取得した自機器の現在位置情報とに基づいて、自機器と前記他の携帯通信機器との距離を算出することにより前記距離情報を取得する第４のステップと、
をさらに有する
ことを特徴とする携帯通信機器の制御方法。
【発明の詳細な説明】
【技術分野】
【０００１】
本発明は、自動的に位置情報を取得し、他の通信機器に位置情報を自動的に通知する携帯通信機器及び携帯通信機器の制御方法に関する。
【背景技術】
【０００２】
近年では、子供に対する防犯意識が高まっており、子供に携帯電話を持たせて当該携帯電話のＧＰＳ機能により位置情報を取得させ、その位置情報を保護者の携帯電話等通信機器に対して送信させることにより子供の位置をトレースするシステムが普及しつつある。
このようなシステムとして、例えば特許文献１或いは非特許文献１に開示された技術がある。
【特許文献１】特開２００５−１７０２７号公報
【非特許文献１】株式会社エヌ・ティ・ティ・ドコモ ホームページ  「キッズケータイ  SA800i」（http://www.nttdocomo.co.jp/product/kids_phone/sa800i/topics_01.html）
【０００３】
特許文献１には、固有の識別コードＩＤが付与された親機と、親機と通信可能に接続された子機とを備え、親機から識別コードＩＤを少なくとも一定時間継続的に発信し、子機において識別コードＩＤの受信状態をモニタし、親機から所定の距離以上離れていると判定したときには所定の識別情報を含む警告信号を発生し、子機と通信可能に接続され得る車に搭載された車載機を搭載した周辺の車両に対して当該警告信号を発信する保護喪失状態警告システムが開示されている。すなわち、特許文献１に開示された技術では、子機を有する子供が保護者の監督下から離れた状態であることが周囲の車に通知されるため、周囲の車の子供に対する注意を喚起することができ、子供の安全が図られる。
【０００４】
近年では、子供に対する防犯意識が高まっており、子供に携帯電話を持たせて当該携帯電話のＧＰＳ機能により位置情報を取得させ、その位置情報を保護者の携帯電話等携帯通信機器に対して送信させることにより子供の位置をトレースするシステムが普及しつつある。
このようなシステムとして、例えば特許文献１或いは非特許文献１に開示された技術がある。
【発明の開示】
【発明が解決しようとする課題】
【０００５】
ところで、非特許文献１に開示された技術では、子機の電源がオフの状態でも所定時間後には自動的に電源がオンになり親機に位置情報が通知されるが、例えば航空機内や病院内のように、携帯電話の電源をオフにしなければならない場所では、所定時間後に自動的に電源がオンになる機能を停止する必要がある。
しかし、非特許文献１に開示された技術では、自動的に電源がオンになる機能を停止する場合には所定の暗証番号を入力する等の所定の操作が必要であり、当該操作が簡便ではないため、自動的に電源がオンになる機能を停止するまでに時間がかかる、という不利益があった。
【０００６】
本発明は上述した不利益を解消するためになされたものであり、電源がオフの状態から自動的に電源がオンになる機能を停止する必要がある場合には簡便な操作で停止できる携帯通信機器及び携帯通信機器の制御方法を提供することを目的とする。
【課題を解決するための手段】
【０００７】
上記した課題を解決するために、第１の発明の携帯通信機器は、電源のオンとオフとを切り替える電源切替部と、前記電源がオフの状態において所定時間または所定時刻が経過すると、前記電源切替部により前記電源をオンに切り替える機能を実行する機能実行部と、他の携帯通信機器との距離情報を取得する情報取得部と、前記情報取得部により取得された前記距離情報に応じて、前記機能実行部による前記機能の実行を抑制する制御部と、他の携帯通信機器との通信を行う通信部と、を有し、前記情報取得部は、前記位置情報として自機器の現在位置情報を取得する位置情報取得部と、前記通信部が前記他の携帯通信機器との通信により取得した当該他の携帯通信機器の現在位置情報と、前記位置情報取得部が取得した自機器の現在位置情報とに基づいて、自機器と前記他の携帯通信機器との距離を算出することにより前記距離情報を取得する距離情報取得部と、をさらに有する。
【０００８】
第２の発明の携帯通信機器の制御方法は、電源がオフの状態において所定時間または所定時刻が経過すると、前記電源をオンに切り替える機能を実行可能な携帯通信機器の制御方法であって、他の携帯通信機器との距離情報を取得する第１のステップと、前記第１のステップにおいて取得された前記距離情報に応じて、前記機能の実行を抑制する第２のステップと、を有し、前記第１のステップは、前記位置情報として自機器の現在位置情報を取得する第３のステップと、前記他の携帯通信機器との通信により取得した当該他の携帯通信機器の現在位置情報と、前記第３のステップにおいて取得した自機器の現在位置情報とに基づいて、自機器と前記他の携帯通信機器との距離を算出することにより前記距離情報を取得する第４のステップと、をさらに有する。
【発明の効果】
【０００９】
本発明によれば、電源がオフの状態から自動的に電源がオンになる機能を停止する必要がある場合には簡便な操作で停止できる携帯通信機器及び携帯通信機器の制御方法を提供することができる。
【発明を実施するための最良の形態】
【００１０】
以下、本発明の携帯通信機器の一例としての携帯端末について説明する。
図１は、本実施形態において説明する携帯端末１００の構成の一例を示したブロック図である。
図１に示すように、本実施形態の携帯端末１００は、通信部１、記憶部２、入力部３（本発明の指示情報受付部に対応）、表示部４、バッテリ５、電源オンオフ切替部６、機能実行部７、情報取得部８、制御部９を有する。
【００１１】
通信部１は、図１に図示しない基地局を介して、通信ネットワークに接続されたサーバ装置と各種データの送受信を行う。各種データとは、例えば、音声通話時の音声データやメール送受信時のメールデータ、動画データや音楽データ等である。
記憶部２は、携帯端末１００の各動作に使用される各種データを記憶する。各種データとは、例えば、音声発着信やメール送受信時に使用するアドレス帳データ、通信部１が通信ネットワークを介してサーバ装置から受信したメールデータ、音声データ、画像データ、動画データ、また携帯端末１００上で動作するアプリケーション等のプログラムや動作に必要なデータの類である。
【００１２】
入力部３は、携帯端末１００の各種動作時のユーザの入力を受け付ける入力デバイスであり、テンキーやボタン、スイッチ等により構成される。
表示部４は、例えば液晶ディスプレイ（ＬＣＤ：Liquid Crystal Display）や有機ＥＬ（Electro Luminescence）パネル等により構成された表示デバイスであり、携帯端末１００の各種動作に応じた表示を行う。例えば、音声発着信時には発着信先を表示したり、メール送受信時にはメール送信画面や着信画面を表示したり、待ち受け画面を表示したり、電波状況や時刻、後述するバッテリ５の残量を示すピクト類を表示したりする。
【００１３】
バッテリ５は、携帯端末１００の各構成に電源を供給する電源ユニットであり、例えばリチウムイオン二次電池のような充電池により構成される。
電源オンオフ切替部６は、携帯端末１００全体の電源のオン／オフ切り替えを行うための切替装置であり、携帯端末１００の各構成に対してバッテリ５からの電源を供給することにより電源オンへの切り替えを、反対にバッテリ５からの電源供給を停止することにより電源オフへの切り替えを行う。電源オンオフ切替部６は、後述する機能実行部７の機能実行に応じて電源オン／オフの切り替えを行う。
【００１４】
機能実行部７は、携帯端末１００の電源がオフになっている状態においても時間を計測しており、電源がオフになってから所定時間が経過する、或いは、所定時刻となったことを条件に、電源オンオフ切替部６を制御して携帯端末１００の電源をオンにする機能を実行する。好適には、機能実行部７は、上記のように電源をオンにした後に、あらかじめ記憶部２に記憶された特定の登録先相手に対して後述する位置情報取得部８１が取得した位置情報、或いは距離情報取得部８２が取得した携帯端末１００と登録先相手の携帯端末との距離を、通信部１を介して自動的に送信する機能を実行する。
すなわち、携帯端末１００を子供に所持させることによって、携帯端末１００の電源がオフになった状態でも、所定時間経過後或いは所定時刻になった場合には、携帯端末１００の位置情報等が所定の登録先相手（例えば親・保護者が有する他の携帯端末）に対して自動的に送信されるので、親・保護者が子供の所在地等の情報を確実に入手することが出来るようになっている。以下、携帯端末１００のユーザが子供、そして、登録先相手である他の携帯端末のユーザが親・保護者であるものとして説明する。ただし、本発明は、これに限らず、その他のユーザが携帯端末１００、或いは他の携帯端末のユーザであってもよい。
【００１５】
情報取得部８は、各種情報を取得するためのブロックであり、位置情報取得部８１、距離情報取得部８２、時間情報取得部８３をさらに有する。
位置情報取得部８１は、携帯端末１００の現在位置に関する情報である現在位置情報を取得するブロックであって、例えば通信部１を介して図１に図示しない基地局からの情報を基に図１に図示しない複数のＧＰＳ衛星からＧＰＳ信号を取得し、現在位置を算出することにより位置情報を取得するＧＰＳ装置である。なお、本発明の位置情報取得部８１はＧＰＳ装置に限定されず、他の方法で携帯端末１００の現在位置に関する位置情報を取得しても良い。
距離情報取得部８２は、通信部１にあらかじめ記憶部２に記憶された登録先相手（保護者・親が有する他の携帯端末等であって、本発明の他の携帯端末に対応）に位置情報の送信を要求し、当該要求に応じて送信された位置情報を通信部１を介して取得し、登録先相手の位置情報と位置情報取得部８１が取得した携帯端末１００の位置情報とを基に、携帯端末１００と登録先相手との距離を算出することにより、当該距離に関する距離情報を取得する演算装置である。
時間情報取得部は、例えば電波時計や原子時計等、時間を計測することが可能な時計装置であり、現在時刻に関する時間情報を取得する。
制御部９は、上述した携帯端末１００の各構成の動作を統括的に制御する。
【００１６】
特に制御部９は、位置情報取得部８１、距離情報取得部８２、時間情報取得部８３が取得した位置情報、距離情報、時間情報の内のいずれかが所定の条件を満たした場合に、上述した機能実行部７が実行する機能を抑制する。すなわち、航空機内や病院内等、携帯端末１００の電源がオフになっている状態においても、電源がオフになってから所定時間が経過する、或いは、所定時刻となったことを条件に、携帯端末１００の電源を自動的にオンにする機能が実行されることによるトラブルが想定される場所において、特にユーザが入力部３に対して当該機能の実行を抑制するための所定の操作入力を行わなくとも、制御部９は所定の条件が満たされると判断した場合には、当該機能の実行を自動的に抑制する。このため、上述したトラブルを回避することができる。制御部９は、所定の条件を満たすか否かの判定及び、機能実行部７が実行する機能を抑制する設定を、携帯端末１００の電源オフが要求された時点で行う。
【００１７】
以下、制御部９が機能実行部７の機能実行を抑制する契機となる所定の条件について詳細に説明する。
第１の条件として、携帯端末１００と所定の登録先相手との距離が所定の距離以内であることを設定可能である。
第１の条件を適用した場合の携帯端末１００の電源オフ時の制御部９の動作例を図２に示す。
図２は、第１の条件を適用した場合の携帯端末１００の電源オフ時の制御部９の動作例を示したフローチャートである。
【００１８】
ステップＳＴ１：
制御部９は、入力部３を介したユーザの操作入力等により、携帯端末１００の電源オフ要求を取得する。
ステップＳＴ２：
制御部９は、ステップＳＴ１において要求された電源オフ要求に応じて、通信部１を介して登録先相手に対して位置情報の取得要求を送信する。
【００１９】
ステップＳＴ３：
制御部９は、ステップＳＴ２における距離情報取得要求に応じて登録先相手から送信された位置情報を通信部１を介して取得する。
ステップＳＴ４：
位置情報取得部８１は、携帯端末１００の位置情報を取得する。
【００２０】
ステップＳＴ５：
距離情報取得部８２は、ステップＳＴ３において取得した登録先相手の位置情報と、ステップＳＴ４において位置情報取得部８１が取得した携帯端末１００の位置情報とを基に、携帯端末１００と登録先相手との距離を算出し、当該距離に関する距離情報を取得する。
ステップＳＴ６：
制御部９は、ステップＳＴ５において取得された距離情報を基に、携帯端末１００と登録先相手との距離が所定の距離以内であるか否かの判定を行う。ここで、所定の距離内であるとは、携帯端末１００を所持する子供と登録先相手（の携帯端末）を所持する親・保護者とが一緒にいる（子供が親・保護者の目の届く距離にいる）ことを想定しているため、数メートル程度の距離であることが望ましい。所定の距離は、位置情報取得部８１が取得可能な位置情報の精度によっても変化するため、位置情報取得部８１が精度の良いＧＰＳ装置（例えば誤差１〜２ｍ程度の誤差）である場合には、所定の距離を２〜３ｍ程度まで縮めることが出来る。
本ステップＳＴ６において、携帯端末１００と登録先相手との距離が所定の距離以内であった場合にはステップＳＴ７に進み、そうでない場合はステップＳＴ８に進む。
【００２１】
ステップＳＴ７：
ステップＳＴ６において、携帯端末１００と登録先相手との距離が所定の距離以内であると判定された場合、すなわち、携帯端末１００を所持する子供が親・保護者の目の届く距離内にいることが想定される場合には、制御部９は、機能実行部７の機能の実行を抑制し、電源オンオフ切替部６を制御して携帯端末１００の電源を完全にオフにする。
ステップＳＴ８：
ステップＳＴ６において、携帯端末１００と登録先相手との距離が所定の距離以内ではないと判定された場合、すなわち、携帯端末１００を所持する子供が親・保護者の目の届く距離内にいないことが想定される場合には、制御部９は、機能実行部７の機能の実行を抑制せずに電源オンオフ切替部６を制御して携帯端末１００の電源をオフにする。この場合、機能実行部７は電源がオフされた時点から時間を計測し始め、所定時間が経過する、或いは、所定時刻となったことを条件に、電源オンオフ切替部６を制御して携帯端末１００の電源を所定時間後にオンにする機能を実行する。
【００２２】
以上のような動作を行う携帯端末１００によれば、電源がオフになってから所定時間が経過する、或いは、所定時刻となったことを条件に、登録先相手が携帯端末１００から所定の距離内に存在する場合には、制御部９は当該機能の実行を自動的に抑制するので、煩わしい操作等の必要なく電源を完全オフからオンにする機能の実行を抑制し、電源を完全にオフにすることが出来るため、バッテリ５の消費電力量を抑え省電力化を図ることが出来る。また、航空機内や病院内等、携帯端末１００の電源がオフになっている状態においても、当該機能の実行が自動的に抑制されるので、上述したようなトラブルの発生を抑制することができる。
【００２３】
また、携帯端末１００は、第２の条件として、携帯端末１００と登録先相手との距離が所定の距離内であるか否かの判定を複数回行い、所定回数以上所定の距離内であったことを条件として設定可能である。
図３は、第２の条件を適用した場合の携帯端末１００の電源オフ時の制御部９の動作例を示したフローチャートである。
【００２４】
ステップＳＴ１１：
制御部９は、入力部３を介したユーザの操作入力等により、携帯端末１００の電源オフ要求を取得する。
ステップＳＴ１２：
制御部９は、ステップＳＴ１１において要求された電源オフ要求に応じて、通信部１を介して登録先相手に対して位置情報の取得要求を送信する。
【００２５】
ステップＳＴ１３：
制御部９は、ステップＳＴ１２における距離情報取得要求に応じて登録先相手から送信された位置情報を通信部１を介して取得する。
ステップＳＴ１４：
位置情報取得部８１は、携帯端末１００の位置情報を取得する。
【００２６】
ステップＳＴ１５：
距離情報取得部８２は、ステップＳＴ１３において取得した登録先相手の位置情報と、ステップＳＴ１４において位置情報取得部８１が取得した携帯端末１００の位置情報とを基に、携帯端末１００と登録先相手との距離を算出し、当該距離に関する距離情報を取得する。
ステップＳＴ１６：
制御部９は、ステップＳＴ１５において取得された距離情報を基に、携帯端末１００と登録先相手との距離が所定の距離以内であるか否かの判定を行う。
本ステップＳＴ１６において、携帯端末１００と登録先相手との距離が所定の距離以内であった場合にはステップＳＴ１７に進み、そうでない場合はステップＳＴ２０に進む。
【００２７】
ステップＳＴ１７：
制御部９は、電源オンオフ切替部６を制御して、携帯端末１００の電源を一時オフにする。或いは、表示部４のバックライトや、入力部３のキーパッドのバックライト等をオフにしたスリープモード（外部からは電源オフ状態のように見えるが、内部の制御部９等の中枢部分のみ最低限の電源を供給され、稼動している状態）としてもよい。
ステップＳＴ１８：
制御部９は、ステップＳＴ１７において一時電源オフ状態にした後、所定時間後に再度自動的に電源オン状態へと復帰させ、ステップＳＴ１６において携帯端末１００と登録先相手との距離が所定の距離以内であったと判定された回数が所定の回数以上であるか否かの判定を行う。判定された回数が所定の回数以上であった場合は、ステップＳＴ１９に進み、そうでない場合はステップＳＴ１２に戻る。
【００２８】
ステップＳＴ１９：
ステップＳＴ１８において、ステップＳＴ１６において携帯端末１００と登録先相手との距離が所定の距離以内であったと判定された回数が所定の回数以上であった場合、すなわち、携帯端末１００を所持する子供が親・保護者の目の届く距離内にいると確実に想定される場合には、制御部９は、機能実行部７の機能の実行を抑制し、電源オンオフ切替部６を制御して携帯端末１００の電源を完全にオフにする。
ステップＳＴ２０：
ステップＳＴ１６において、携帯端末１００と登録先相手との距離が所定の距離以内ではないと判定された場合、或いはステップＳＴ１８において、ステップＳＴ１６において携帯端末１００と登録先相手との距離が所定の距離以内であったと判定された回数が所定の回数以上でなかった場合、すなわち、携帯端末１００を所持する子供が親・保護者の目の届く距離内にいないことが想定される場合には、制御部９は、機能実行部７の機能の実行を抑制せずに電源オンオフ切替部６を制御して携帯端末１００の電源をオフにする。この場合、機能実行部７は電源がオフされた時点から時間を計測し始め、所定時間が経過する、或いは、所定時刻となったことを条件に、電源オンオフ切替部６を制御して携帯端末１００の電源をオンにする機能を実行する。
【００２９】
第３の条件として、携帯端末１００と登録先相手との距離が所定の距離内かつ、携帯端末１００があらかじめ登録された所定の場所付近に存在することを所定の条件として設定可能である。
図４は、第３の条件を適用した場合の携帯端末１００の電源オフ時の制御部９の動作例を示したフローチャートである。
【００３０】
ステップＳＴ２１：
制御部９は、入力部３を介したユーザの操作入力等により、携帯端末１００の電源オフ要求を取得する。
ステップＳＴ２２：
制御部９は、ステップＳＴ２１において要求された電源オフ要求に応じて、通信部１を介して登録先相手に対して位置情報の取得要求を送信する。
【００３１】
ステップＳＴ２３：
制御部９は、ステップＳＴ２２における距離情報取得要求に応じて登録先相手から送信された位置情報を通信部１を介して取得する。
ステップＳＴ２４：
位置情報取得部８１は、携帯端末１００の位置情報を取得する。
【００３２】
ステップＳＴ２５：
距離情報取得部８２は、ステップＳＴ２３において取得した登録先相手の位置情報と、ステップＳＴ２４において位置情報取得部８１が取得した携帯端末１００の位置情報とを基に、携帯端末１００と登録先相手との距離を算出し、当該距離に関する距離情報を取得する。
ステップＳＴ２６：
制御部９は、ステップＳＴ２５において取得された距離情報を基に、携帯端末１００と登録先相手との距離が所定の距離以内であるか否かの判定を行う。
本ステップＳＴ２６において、携帯端末１００と登録先相手との距離が所定の距離以内であった場合にはステップＳＴ２７に進み、そうでない場合はステップＳＴ２９に進む。
【００３３】
ステップＳＴ２７：
制御部９は、ステップＳＴ２４において取得された携帯端末１００の現在位置に関する位置情報を基に、携帯端末１００の現在位置があらかじめ設定された所定の場所であるか否かの判定を行う。あらかじめ設定された所定の場所とは、例えば携帯端末１００のユーザである子供の家等、子供がいることがあらかじめ想定される場所であり、例えば経度・緯度の情報として、あらかじめ携帯端末１００を子供に所持させる前に子供の親・保護者等によって設定されて記憶部２に記憶されている。
本ステップＳＴ２７において、所定の場所であると判定された場合は、ステップＳＴ２８に進み、そうでない場合はステップＳＴ２９に進む。
【００３４】
ステップＳＴ２８：
ステップＳＴ２６において、携帯端末１００と登録先相手との距離が所定の距離以内であり、かつ、ステップＳＴ２７において、所定の場所であると判定された場合、すなわち、携帯端末１００を所持する子供が親・保護者の目の届く距離内かつ、安心できる場所にいると想定される場合には、制御部９は、機能実行部７の機能の実行を抑制し、電源オンオフ切替部６を制御して携帯端末１００の電源を完全にオフにする。
ステップＳＴ２９：
ステップＳＴ２６において、携帯端末１００と登録先相手との距離が所定の距離以内ではないと判定された場合、或いはステップＳＴ２７において、所定の場所ではないと判定された場合、すなわち、携帯端末１００を所持する子供が親・保護者の目の届く距離内にいないことが想定される場合には、制御部９は、機能実行部７の機能の実行を抑制せずに電源オンオフ切替部６を制御して携帯端末１００の電源をオフにする。この場合、機能実行部７は電源がオフされた時点から時間を計測し始め、所定時間が経過する、或いは、所定時刻となったことを条件に、電源オンオフ切替部６を制御して携帯端末１００の電源をオンにする機能を実行する。
【００３５】
なお、図４に示した第３の条件による判定を行う際の携帯端末１００の動作例においては、ステップＳＴ２６とステップＳＴ２７の判定を行うステップの順番は、上述した例に限られず、ステップＳＴ２６とステップＳＴ２７の判定の順番を入れ替えても良い。また、ステップＳＴ２６における所定の距離は、子供の家等の中に子供と親・保護者とが同時にいることを想定すると、例えば５〜１０ｍ程度に設定すれば良い。
【００３６】
第４の条件として、上述した第３の条件に、電源オフ要求が取得された時刻が所定の時間帯であることを条件として加えることが可能である。
すなわち、例えば２１時から翌日の７時までは子供が家にいることが想定されるため、２１時から翌日の７時までを所定の時間として設定し記憶部２に記憶しておき、第３の条件に加えて、制御部９は時間情報取得部８３により取得された時間情報を基に現在時刻が所定の時間帯であるか否かの判定を行い、所定時間内であった場合に機能実行部７の機能実行を抑制し、携帯端末１００の電源を完全にオフにするように電源オンオフ切替部６を制御する。
第４の条件を適用した場合の携帯端末１００の動作例としては、図４において説明した第３の条件を適用した場合の動作例に加えて、現在時刻に関する時間情報を取得するステップと、当該時間情報を基に現在時刻が所定の時間帯内であるか否かの判定を行うステップとを加えるのみであるため、詳細な説明は省略する。
【００３７】
第５の条件として、制御部９は、携帯端末１００が所定の場所に存在するか否かを判定し、所定の場所に存在する場合には、機能実行部７の機能実行を抑制し、携帯端末１００の電源を完全にオフにするように電源オンオフ切替部６を制御するが、所定の存在しない場合には、携帯端末１００の電源をいったんオフにした後、所定の場所までの移動時間を見積もり、当該移動時間経過後に再度電源をオンにして所定の場所に存在するか否かの判定を再度行うようにすることも可能である。
図５は、第５の条件を適用した場合の携帯端末１００の電源オフ時の制御部９の動作例を示したフローチャートである。
【００３８】
ステップＳＴ３１：
制御部９は、入力部３を介したユーザの操作入力等により、携帯端末１００の電源オフ要求を取得する。
ステップＳＴ３２：
位置情報取得部８１は、携帯端末１００の位置情報を取得する。
【００３９】
ステップＳＴ３３：
制御部９は、ステップＳＴ３２において取得された携帯端末１００の現在位置に関する位置情報を基に、携帯端末１００の現在位置があらかじめ設定された所定の場所であるか否かの判定を行う。
あらかじめ設定された所定の場所とは、例えば携帯端末１００のユーザである子供の家等、子供がいることがあらかじめ想定される場所であり、例えば経度・緯度の情報として、あらかじめ携帯端末１００を子供に所持させる前に子供の親・保護者等によって設定されて記憶部２に記憶されている。
【００４０】
或いは、本実施形態の携帯端末１００は、以下のように所定の場所を設定しても良い。
制御部９は、携帯端末１００の電源オン時には所定時間ごとに自動的に位置情報取得部８１を起動し現在位置情報を取得して、記憶部２に現在位置データベースとして記憶しておく。
現在位置データベースの一例を図６に示す。
図６に示すように、現在位置データベースは、時刻及びその時刻における位置情報が記憶されている。制御部９は、現在位置データベースを参照し、所定時間経過前後で位置情報が所定のしきい値以上変化していない場合に移動なしと判定する。そして、制御部９は、所定の長時間以上移動なしが継続している地点を所定の場所として記憶部２に設定する。
【００４１】
例えば、図６においては、位置情報Ｐ３とＰ４、Ｐ７からＰ１０まで、Ｐ１３からＰ１５まではほとんど位置情報に変化が無いとする。すわなち、位置情報Ｐ３（ｏｒＰ４）と、Ｐ７（ｏｒＰ８ｏｒＰ９ｏｒＰ１０）と、Ｐ１３（ｏｒＰ１４ｏｒＰ１５）の３つが例えばそれぞれ所定の場所として設定され、記憶部２に記憶される。
このようにすることにより、携帯端末１００を所持する子供の生活パターンに合わせて、家、学校、塾等、所定の長時間以上移動しないと想定される場所を所定の場所として自動的に設定することが可能になる。
【００４２】
また、移動なしが所定の長時間以上続いた場合の最後に相当する時刻から、次に所定の長時間以上移動なしが続く場所の最初に相当する時刻までの経過時間から、所定の場所から別の所定の場所までの移動時間を推測することが可能である。すなわち、例えば携帯端末１００を所持する子供が学校から家に帰るまでに要する時間を推測することが可能になる。
例えば、図６に示した例では、位置情報Ｐ３〜Ｐ４が家の位置情報、位置情報Ｐ７〜Ｐ１０が学校の位置情報であるとすると、時刻ｔ４からｔ７までの時間が携帯端末１００を所持する子供が移動に要した時間であると考えることができるため、家から学校までの所要時間はｔ７−ｔ４というように求められる。
制御部９は、このようにして携帯端末１００の現在位置があらかじめ設定された所定の場所であるか否かの判定を行い、所定の場所であると判定された場合は、ステップＳＴ３４に進み、そうでない場合はステップＳＴ３５に進む。
【００４３】
ステップＳＴ３４：
ステップＳＴ３３において、所定の場所であると判定された場合、すなわち、携帯端末１００を所持する子供が安心できる場所にいると想定される場合には、制御部９は、機能実行部７の機能の実行を抑制し、電源オンオフ切替部６を制御して携帯端末１００の電源を完全にオフにする。
ステップＳＴ３５：
ステップＳＴ３３において、所定の場所ではないと判定された場合、すなわち、携帯端末１００を所持する子供が安心できる場所にいないことが想定される場合には、制御部９は、上述した現在位置データベースを基に算出した、携帯端末１００を所持する子供の移動速度を基に、現在位置から最寄りの所定の場所までの所要時間を算出する。携帯端末１００を所持する子供の移動速度は、制御部９により以下のようにして求められる。すなわち、複数の所定の場所の位置情報と、そられの間の移動に要する時間は上述した現在位置データベースからわかっているため、所定の場所間の距離を算出することによって、移動速度を概算することが出来る。
【００４４】
ステップＳＴ３６：
制御部９は、ステップＳＴ３５において算出した所要時間後に自動的に電源がオンになるように設定して、電源オンオフ切替部６を制御して携帯端末１００の電源を一時的にオフにする。
所定時間後、自動的に電源がオンになった後は、ステップＳＴ３３に戻る。
【００４５】
以上説明したように、本実施形態の携帯端末１００によれば、位置情報取得部８１が取得する位置情報、距離情報取得部８２が取得する登録先相手との距離情報、或いは時間情報取得部８３が取得する時間情報のうちの少なくともいずれかの情報が、所定の条件を満たした場合に、制御部９は携帯端末１００の電源がオフになっている状態においても、電源がオフになってから所定時間が経過する、或いは、所定時刻となったことを条件に、携帯端末１００の電源を自動的にオンにする機能の実行を自動的に抑制するので、簡便に電源を完全にオフにすることが出来る。また、電源を完全にオフにすることができるため、バッテリ５の消費電力量を抑え省電力化を測ることが出来る。
【００４６】
また、本実施形態における携帯端末１００は、制御部９が、入力部３を介したユーザの操作入力により、携帯端末１００の電源オフ要求が取得されると、その時点において位置情報取得部８１が取得する位置情報、距離情報取得部８２が取得する登録先相手との距離情報、或いは時間情報取得部８３が取得する時間情報のうちの少なくともいずれかの情報に応じて携帯端末１００の電源を自動的にオンにする機能の実行が自動的に抑制されるため、電源がオフにされる直前の情報、すなわち最新の情報に応じて機能の実行が抑制されるため、より好適に煩わしい操作等の必要なく電源を完全オフからオンにする機能の実行が抑制されると共に、省電力化を好適に図ることができる。
【００４７】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４８】
上述した実施形態において、図２〜５に関連付けて説明した動作例では、電源オフが要求された際に、情報取得部８の取得した情報が所定の条件を満たした場合には、制御部９は機能実行部７の実行する機能を抑制して携帯端末１００の電源を完全にオフにしていたが、本発明はこれには限定されない。すなわち、例えば、制御部９は携帯端末１００の電源を完全にオフにするように電源オンオフ切替部６を制御する代わりに、機能実行部７が実行する機能において再度電源がオンされるまでの時間と比較して長い時間後に自動的に電源が再度オンされるように電源オンオフ切替部６を制御してもよい。
なお、本発明は、携帯端末１００の電源を自動的にオンにする機能が実行されることによるトラブルが想定される航空機内や病院内にいる場合であっても、情報取得部８が取得する情報に応じて自動的に電源がオフになるため、自動的に電源がオンになってしまうことによるトラブルを好適に回避することができると共に、携帯端末１００を所持する子供の安全を図る必要があると認められる場合には、電源のオフ後所定時間が経過すると電源がオンになるため、子供の安全を好適に図ることができる。
なお、上述した実施形態では、携帯端末１００は被保護対象の子供が所持することを想定していたが、本発明はこれには限定されない。子供以外が所持する携帯端末１００であっても良い。
【図面の簡単な説明】
【００４９】
【図１】図１は、本実施形態における携帯端末の構成の一例を示したブロック図である。
【図２】図２は、第１の条件を適用した場合の携帯端末の電源オフ時の動作例を示したフローチャートである。
【図３】図３は、第２の条件を適用した場合の携帯端末の電源オフ時の動作例を示したフローチャートである。
【図４】図４は、第３の条件を適用した場合の携帯端末の電源オフ時の動作例を示したフローチャートである。
【図５】図５は、第５の条件を適用した場合の携帯端末の電源オフ時の動作例を示したフローチャートである。
【図６】図６は、所定の場所を自動的に設定する際に使用される現在位置データベースの一例を示した図である。
【符号の説明】
【００５０】
１００…携帯端末、１…通信部、２…記憶部、３…入力部、４…表示部、５…バッテリ、６…電源オンオフ切替部、７…機能実行部、８…情報取得部、８１…位置情報取得部、８２…距離情報取得部、８３…時間情報取得部、９…制御部
【図１】
0005160153.tif 000002
【図２】
0005160153.tif 000003
【図３】
0005160153.tif 000004
【図４】
0005160153.tif 000005
【図５】
0005160153.tif 000006
【図６】
0005160153.tif 000007